(57)【要約】      （修正有）【課題】宙吊り用の合成樹脂フィルムをトレーに容易に着脱することができ、トレーの再利用を容易とした果実等の物品の宙吊り収納トレーを提供する。【解決手段】宙吊り用合成樹脂フィルム５の２辺に沿って係合片１０を設けると共に、係合片１０に係合突片１１を突設し、係合片１０に対応するトレー３の２辺に下向係合溝１３を設け、トレー３に各係合突片１１が挿入可能な係合孔８を貫設し、上記フィルムをトレー３の上面開口２ａに宛がい係合片１０を上面開口トレー３の側面に沿って配置し、係合片１０の内側の各端縁を下向係合溝１３に係合し、係合突片１１を係合孔８に抜止状態で挿入係合することにより、宙吊り用合成樹脂フィルム５をトレー３の上面開口２ａに係止状態で張設し得るように構成した。【選択図】図１
2012232782.tif 000002
【特許請求の範囲】
【請求項１】
上面開口トレーと、該上面開口トレーの上面開口に張設され果実等の物品を収納するための柔軟な凹部が塑性変形により形成された柔軟な宙吊り用合成樹脂フィルムとを有し、上記宙吊り用合成樹脂フィルムを上記上面開口に張設した状態で上記凹部に果実等の物品を宙吊り状態で収納し得る果実等の物品の宙吊り収納トレーにおいて、
上記宙吊り用合成樹脂フィルムの対向２辺に沿う各端縁に各々係合片を接合すると共に、上記両係合片の対称位置に外側方向に突出する係合突片を各々形成し、
上記両係合片に対応する上記上面開口トレーの２辺に下向係合溝を各々設けると共に、上記上面開口トレーに上記各係合突片が挿入係合可能な係合孔を貫設し、
上記宙吊り用合成樹脂フィルムを上記上面開口に宛がうと共に上記フィルムの上記対向２辺を上記上面開口トレーの側面に沿って折り曲げて上記両係合片を各々上記上面開口トレーの左右の側面に沿って配置した状態において、上記両係合片の内側の各端縁を上記下向係合溝に各々係合すると共に、
左右の上記係合突片を上記係合孔に抜止状態で挿入係合することにより、上記宙吊り用合成樹脂フィルムを上記上面開口トレーの上記上面開口に係止状態で張設し得るように構成したものであることを特徴とする果実等の物品の宙吊り収納トレー。
【請求項２】
上記両係合片の上記内側の各端縁を上記上面開口トレーの上記下向係合溝に係合した状態において、
上記両係合突片を互いに対向方向に回動することにより、上記両係合突片を上記係合孔内に抜止状態に挿入係合し得るように構成したものであることを特徴とする請求項１記載の果実等の物品の宙吊り収納トレー。
【請求項３】
上記上面開口トレーはパルプモウルド成形により形成されたパルプモウルド製であることを特徴とする請求項１又は２記載の果実等の物品の宙吊り収納トレー。
【請求項４】
上記両係合片及び上記両係合突片は薄板状の弾性板により構成されており、上記両係合突片は上記各係合孔の幅よりも若干幅広の先端部を有しており、該先端部を上記係合孔内に抜止状態に挿入係合し得るように構成したものであることを特徴とする請求項１〜３の何れかに記載の果実等の物品の宙吊り収納トレー。
【請求項５】
上記上面開口トレー内に、上記上面開口トレーの上記２辺間を接続して上記上面開口トレー内を分割する隔壁を設け、上記隔壁における上記２辺に近い各端部位置に上記両係合突片が挿入係合し得る上記係合孔を各々貫設したものであることを特徴とする請求項１〜４の何れかに記載の果実等の物品の宙吊り収納トレー。
【発明の詳細な説明】
【技術分野】
【０００１】
本発明は、桃等の果実或いは他の物品を収納する果実等の物品の宙吊り収納トレーに関するものであり、柔軟な宙吊り用の合成樹脂フィルムをトレーに簡単に取り付け可能とした果実等の物品の宙吊り収納トレーに関するものである。
【背景技術】
【０００２】
従来、柔軟な合成樹脂フィルムに複数の果実収納用の凹部を塑性変形により形成し、当該フィルムをパルプモウルド製トレーの開口部に張設し、当該フィルムの果実収納凹部が上記トレー底面に接触しないように構成することで、当該果実収納凹部内に苺等の果実を宙吊り収納する果実収納トレーが提案されている（特許文献１）。
【先行技術文献】
【特許文献】
【０００３】
【特許文献１】特開２００８−８１１９５号
【発明の概要】
【発明が解決しようとする課題】
【０００４】
ところで、上記特許文献１の果実収納トレーにおいて、その合成樹脂フィルムとトレーは、接着剤又は溶着等の手段により接着されているため、上記合成樹脂フィルムの果実収納凹部に果実を収納して輸送等に使用した後、果実を果実収納凹部から取り出した後は、再利用されることなく廃棄されていた。
【０００５】
また、上記果実収納トレーにおいて、パルプモウルド製トレーの部分は本来再利用可能であるが、上記トレーを再利用するためには上記合成樹脂フィルムを上記トレーから分離することが必要である。しかしながら、上記合成樹脂フィルムは上記トレーに接着剤等により接着されているため、上記トレーからの合成樹脂フィルムの分離に多くの手間を要するという課題があった。
【０００６】
そこで、特許文献１のようなパルプモウルド製トレーにおいて、果実を確実に宙吊り収納する一方、使用後においては、トレーと合成樹脂フィルムを容易に分離できるようなトレーが望まれている。
【０００７】
本発明は上記従来の課題に鑑みてなされたものであり、柔軟な宙吊り用の合成樹脂フィルムをトレー（例えばパルプモウルド製トレー等）に容易に着脱することができ、トレーの部分の再利用を容易とした果実等の物品の宙吊り収納トレーを提供することを目的とする。
【０００８】
また、本発明は宙吊り用合成樹脂フィルムをトレーに簡単に取り付けることができると共に、例えば桃等の比較的重量の大きい果実等の物品をも確実に宙吊り収納することができる果実等の物品の宙吊り収納トレーを提供することを目的とする。
【課題を解決するための手段】
【０００９】
上記の目的を達成するため本発明は、
第１に、上面開口トレーと、該上面開口トレーの上面開口に張設され果実等の物品を収納するための柔軟な凹部が塑性変形により形成された柔軟な宙吊り用合成樹脂フィルムとを有し、上記宙吊り用合成樹脂フィルムを上記上面開口に張設した状態で上記凹部に果実等の物品を宙吊り状態で収納し得る果実等の物品の宙吊り収納トレーにおいて、上記宙吊り用合成樹脂フィルムの対向２辺に沿う各端縁に各々係合片を接合すると共に、上記両係合片の対称位置に外側方向に突出する係合突片を各々形成し、上記両係合片に対応する上記上面開口トレーの２辺に下向係合溝を各々設けると共に、上記上面開口トレーに上記各係合突片が挿入係合可能な係合孔を貫設し、上記宙吊り用合成樹脂フィルムを上記上面開口に宛がうと共に上記フィルムの上記対向２辺を上記上面開口トレーの側面に沿って折り曲げて上記両係合片を各々上記上面開口トレーの左右の側面に沿って配置した状態において、上記両係合片の内側の各端縁を上記下向係合溝に各々係合すると共に、左右の上記係合突片を上記係合孔に抜止状態で挿入係合することにより、上記宙吊り用合成樹脂フィルムを上記上面開口トレーの上記上面開口に係止状態で張設し得るように構成したものであることを特徴とする果実等の物品の宙吊り収納トレーにより構成される。
【００１０】
上記宙吊り用合成樹脂フィルムの対向２辺とは、例えば方形の宙吊り用合成樹脂フィルム（５）の長手方向の端縁（５’，５’）側の対向２辺をいう。上記係合片に対応する上面開口トレーの２辺とは、例えば方形の上面開口トレー（３）における長手方向の対向する２辺（外周縁部２ｄ，２ｅが形成された対向２辺）をいう。上記トレーの左右の側面とは、例えばトレー（３）の長手方向の左右の側面（６ｃ，６ｃ）をいう。上記両係合片の内側の各端縁とは、例えば係合片（１０，１０）の内側の延長片部（１０ａ，１０ａ）の内側の端縁（１０ａ’，１０ａ’）をいう。このように構成すると、宙吊り用合成樹脂フィルムを上面開口トレーに簡単に張設し、取り外すことができると共に、係合突片が上記トレーの係合孔に抜止状態で係合しているため、比較的重量の大きい物品であっても確実に宙吊り収納することができる。
【００１１】
第２に、上記両係合片の上記内側の各端縁を上記上面開口トレーの上記下向係合溝に係合した状態において、上記両係合突片を互いに対向方向に回動することにより、上記両係合突片を上記係合孔内に抜止状態に挿入係合し得るように構成したものであることを特徴とする上記第１記載の果実等の物品の宙吊り収納トレーにより構成される。
【００１２】
両係合突片を互いに対向方向に回動とは、例えば係合突片（１１，１１）を矢印（Ｐ２”）方向（図５（ｂ））に回動することをいう。このように構成すると、上記両係合片の上記各端縁を上記トレーの上記下向係合溝に係合し上記トレーを両手で把持した状態で、例えば両手の各中指で上記両係合突片を上記各係合孔内に挿入係合することができ（図６参照）、上記トレーへの上記宙吊り用合成樹脂フィルムの張設を極めて簡単に行うことができる。
【００１３】
第３に、上記上面開口トレーはパルプモウルド成形により形成されたパルプモウルド製であることを特徴とする上記第１又は２記載の果実等の物品の宙吊り収納トレーにより構成される。
【００１４】
このように構成すると、上記トレーの再利用を容易に行うことができる。
【００１５】
第４に、上記両係合片及び上記両係合突片は薄板状の弾性板により構成されており、上記両係合突片は上記各係合孔の幅よりも若干幅広の先端部を有しており、該先端部を上記係合孔内に抜止状態に挿入係合し得るように構成したものであることを特徴とする上記第１〜３の何れかに記載の果実等の物品の宙吊り収納トレーにより構成される。
【００１６】
上記薄板状の弾性板は例えば段ボール紙により構成することができる。このように構成すると、上記係合片及び係合突片を有する宙吊り用合成樹脂フィルムを低コストで実現することができる。
【００１７】
第５に、上記上面開口トレー内に、上記上面開口トレーの上記２辺間を接続して上記上面開口トレー内を分割する隔壁を設け、上記隔壁における上記２辺に近い各端部位置に上記両係合突片が挿入係合し得る上記係合孔を各々貫設したものであることを特徴とする上記第１〜４の何れかに記載の果実等の物品の宙吊り収納トレーにより構成される。
【００１８】
このように構成すると、上記係合突片を上記係合孔に容易に挿入係合し得て、宙吊り用合成樹脂フィルムを上記トレーに簡単に取り付けることができる。
【発明の効果】
【００１９】
本発明は上述のように、上面開口トレーに対する宙吊り用合成樹脂フィルムの取り付け、取り外しを、接着剤等を使用せずに容易に行うことができるので、例えば使用後にトレーの再利用を手間を要せずに簡易に行うことができるという効果を奏するものである。
【００２０】
また、上記トレーに宙吊り用合成樹脂フィルムを簡易に着脱できるにも拘わらず、該フィルムを上記トレーに確実に係止状態に装着できるので、当該フィルムによって、例えば桃等の比較的重量の大きい果実等の物品を確実に宙吊り収納することができるという効果をも奏するものである。
【００２１】
また、上記両係合片の上記各端縁を上記トレーの上記下向係合溝に係合し上記トレーを両手で把持した状態で、例えば両手の各中指で上記両係合突片を上記各係合孔に係合することができ、上記トレーへの上記宙吊り用合成樹脂フィルムの張設を極めて簡単に行うことができるという効果を奏するものである。
【図面の簡単な説明】
【００２２】
【図１】本発明に係る果実等の物品の宙吊り収納トレーの分解斜視図である。
【図２】同上トレーの宙吊り用合成樹脂フィルムの装着状態の斜視図である。
【図３】同上トレーの側面図である。
【図４】（ａ），（ｂ）は図１のＡ−Ａ線断面図であり、（ａ）は宙吊り用合成樹脂フィルムの張設前の断面図、（ｂ）は同上フィルムの張設状態の断面図である。
【図５】（ａ），（ｂ）は図１のＢ−Ｂ線断面図であり、（ａ）は宙吊り用合成樹脂フィルムの張設前の断面図、（ｂ）は同上フィルムの張設状態の断面図である。
【図６】図１のＢ−Ｂ線断面図であり、係合突片を指で係合装着している状態を示す断面図である。
【図７】（ａ）は宙吊り用合成樹脂フィルムの平面図、（ｂ）は上面開口トレーの平面図である。
【図８】（ａ）は宙吊り用合成樹脂フィルムを上面開口トレーに宛がった状態の平面図、（ｂ）は宙吊り用合成樹脂フィルムの装着状態の同上トレーの平面図である。
【図９】同上フィルムを製造する状況を示す側面断面図である。
【発明を実施するための形態】
【００２３】
以下、本発明に係る果実等の物品の宙吊り収納トレーを詳細に説明する。尚、以下の説明において、収納される果実として桃Ｆを例に説明するが、収納物はこれに限らず、他の果実或いは果実以外の物品（例えば野菜等の食品、食品以外であれば電子部品等）であっても良い。
【００２４】
図１に示すように、本発明に係る果実等の物品の宙吊り収納トレー１は、全体の外周縁２が略方形の上面開口２ａを有するパルプモウルド製の有底の上面開口トレー３と、該上面開口トレー３の上記上面開口２ａに張設され、果実等の物品を宙吊り収納するための２個の柔軟な果実収納用の凹部４，４が塑性変形により形成された全体が柔軟な略方形の宙吊り用合成樹脂フィルム５とから構成されている。
【００２５】
そして、上記宙吊り用合成樹脂フィルム５を上記トレー３の上面開口２ａに宛がい、上記フィルム５の対向２辺（左右縁部）に設けられた係合片１０，１０の延長片部１０ａ，１０ａを、上記上面開口トレー３の上記係合片１０，１０の対応位置に設けられた下向係合溝１３，１３内に係合することで、図２に示すように、上記フィルム５を上記トレー３の上面開口２ａに張設し得るように構成されている。
【００２６】
尚、以下の説明において、図１における上面開口トレー３の斜視図の手前側を「前方」、後ろ側を「後方」、「前方」から「後方」を向いた場合の左右を「左側」及び「右側」として説明を行う。
【００２７】
上記上面開口トレー３は、周知のパルプモウルド成形の方法により一体的に抄造されたパルプモウルド製のものであり、図１に示すように、底面６には上記宙吊り用合成樹脂フィルム５の上記凹部４に桃Ｆを収納した場合に、桃Ｆの底部下方に宙吊り用の空間Ｓ（図４（ｂ）参照）を形成して桃Ｆを宙吊り収納するための凹部６ａ，６ａが上記凹部４，４に対応する位置に、前後方向（長手方向）に２個凹設されている（図３参照）。
【００２８】
また、上記トレー３の上記２個の凹部６ａ，６ａの中間部には、トレー３の左右方向に直線的に所定幅の隔壁６ｂが設けられている。この隔壁６ｂは、全体として、上記トレー３の周囲の上記外周縁２の高さより低い高さを有しており、左の外周縁２の内側における上記外周縁２より若干低い高さの位置７ａから、右の外周壁２の内側における上記外周縁２より若干低い高さの位置７ｂ（上記位置７ａと同一高さの位置）に至るまで連続的に形成されている（図５（ａ）参照）。また、この隔壁６ｂは、図５（ａ）に示すようにその中央部が最も高さの低い左右方向の湾曲凹面６ｂ’を形成していると共に、左右両端部には略水平面を構成する端面６ｂ”，６ｂ”が各々形成されている。
【００２９】
上記隔壁６ｂの上記左右の端面６ｂ”，６ｂ”の板面には、後述の係合突片１１，１１を各々挿入係合するための略方形の係合孔８，８が各々貫通形成されている。即ち、上記上面開口トレー３内に、上記トレー３の左右の外周縁２，２（外周縁部２ｄ，２ｅ）の２辺間を接続して上記トレー３内を分割する隔壁６ｂを設け、上記隔壁６ｂにおける上記２辺に近い各端部位置７ａ，７ｂに、係合突片１１，１１が挿入係合し得る係合孔８，８を各々貫設したものである。
【００３０】
このトレー３の長手方向の左右の上記外周縁２，２には、上記各凹部６ａ，６ａに対応する左右位置に、各々下向き台形状の切欠部９ａ，９ａ(左側)、９ｂ，９ｂ（右側）が凹設されている。よって、上記トレー３の外周縁２，２は、上記切欠部９ａ，９ａ，９ｂ，９ｂにより４つの部分、即ち、略「コ」字状の前方側の外周縁部２ｂ、後方側の外周縁部２ｃ、左右外周縁２，２における直線状の外周縁部２ｄ，２ｅに分離されており、これらの外周縁部２ｂ，２ｃ，２ｄ，２ｅは同一の高さを構成している。
【００３１】
従って、上記トレー３の上面開口２ａに上記フィルム５を張設すると、上記外周縁２（外周縁部２ｂ〜２ｅ）の各上面にフィルム５の裏面５ｂが接触して上記上面開口２ａが閉鎖されるが、上記各切欠部９ａ，９ｂにおいては、各切欠部９ａ，９ｂの上側１２ａと外側１２ｂとが上記フィルム５で閉鎖された状態となるように構成されている（図２、図３参照）。
【００３２】
上記トレー３の上記下向係合溝１３は、図４（ａ）（ｂ）に示すように、横断面略下向きの「コ」字形状であり、その底部（上面）１３’に上記係合片１０の内側の延長片部１０ａの端縁１０ａ’が係合（嵌合）し得るように構成されている（図４（ｂ）参照）。
【００３３】
上記下向係合溝１３は、上記トレー３の左右の長手方向の外周縁２，２の下側（内側）に沿って、該外周縁２，２の全長に亘って前後方向に設けられている。従って、上記下向係合溝１３は、長手方向に沿ってみると、水平部分１３ａ，１３ｃ，１３ｅと、上記切欠部９ａ，９ｂによって下に凸の台形状に設けられた台形部分１３ｂ，１３ｄとから構成されており、これらの部分１３ａ〜１３ｅに亘って、上記下向きの「コ」字形状の下向係合溝１３が連続的に形成されている（図１、図２参照）。
【００３４】
一方、上記係合片１０，１０の上記延長片部１０ａ，１０ａも、上記下向係合溝１３の上記各部分１３ａ〜１３ｅに合うように、上記水平部分１３ａ，１３ｃ，１３ｅの下向係合溝１３に係合し得る水平部分１４ａ，１４ｃ，１４ｅと、下に凸状の上記台形部分１３ｂ，１３ｄの下向係合溝１３に係合し得るように上記台形部分１３ｂ，１３ｅと相似形をなす凹状の台形部分１４ｂ，１４ｄを有している。
【００３５】
そして、上記係合片１０，１０の上記延長片部１０ａ，１０ａの各水平部分１４ａ，１４ｃ，１４ｅと台形部分１４ｂ，１４ｄの各端縁１０ａ’を、上記トレーの左右の下向係合溝１３，１３の各水平部分１３ａ，１３ｃ，１３ｅと各台形部分１３ｂ，１３ｄに各々係合し得るように構成されている（図２参照）。
【００３６】
上記宙吊り用合成樹脂フィルム５は、その厚さが１０μｍ〜３００μｍの極めて薄い柔軟性のあるフィルムであり、その材質はポリエチレン、ポリプロピレン、ポリウレタン、ポリスチレン等の薄膜透明又は半透明の熱可塑性合成樹脂フィルムが用いられる。尚、以下の実施形態において、上記宙吊り用合成樹脂フィルム５の厚さは例えば１００〜２００μｍとする。
【００３７】
この宙吊り用合成樹脂フィルム５は、図１に示すように、平坦面（表面）５ａに長手方向に２個の略半球形状の凹部４，４が、熱による塑性変形により形成されている。上記凹部４の個数及び凹部の形状は任意であり、収納する物品（果実等）の個数、形状、大きさにより変更可能である。
【００３８】
このような宙吊り用合成樹脂薄フィルム５は、図９に示す真空成型法により形成することができる。即ち、複数の凹部２０が形成され、さらに複数の吸引用貫通孔２１が形成された略直方体形状の金型２２を網状板２３上に水平に載置し、当該金型２２上に加熱して軟化させた合成樹脂薄フィルム５を被覆し、その状態で上記吸引用貫通孔２１を介して真空吸引（矢印ｙ方向）することで、図１に示す柔軟な凹部４を有する柔軟な宙吊り用合成樹脂薄フィルム５を形成することができる。
【００３９】
この宙吊り用合成樹脂薄フィルム５は、成型後においては図１に示すような形状を維持しているが、その厚さが極めて薄いため、凹部４を含め全体的に柔軟性を有しており、２つ折り或いは３つ折りに折り畳む等によりコンパクトに収納できるし、上下方向に積み重ねた場合は上記凹部４が上下方向に不定形に圧縮された状態となり、多数の合成樹脂フィルム５を積み重ねても嵩張らずに収納、運搬が可能となる。尚、上記凹部４等は不定形に圧縮した後においても、塑性変形しているため元の形状を維持しており、物品を収納することに関して何ら支障はない。
【００４０】
このような上記宙吊り用合成樹脂フィルム５の少なくとも対向２辺に沿う各端縁５’，５’に、各々細長板状の上記係合片１０，１０を接合（例えば接着剤による接着等）する（図１参照）。尚、係合片１０，１０と上記フィルム５との接着部を図１中ハッチングにて示す。このように、上記フィルム５と上記係合片１０，１０は、その外側縁部１０ｂ，１０ｂの部分、及び後述の係合突片１１，１１においてはその先端部１１ｂ，１１ｂの部分（図１中ハッチング部分）においてのみ上記フィルム５（の裏面５ｂ）と接着されており、上記係合片１０，１０より内側の延長片部１０ａ，１０ａ、上記係合突片１１の基部１１ａの部分は上記フィルム５の裏面５ｂとは接着されていない。
【００４１】
即ち、上記各係合片１０，１０の各々の内側端縁１０ｂ’，１０ｂ’（上記外側縁部１０ｂ，１０ｂと上記延長片部１０ａ，１０ａとの境界部）に上記フィルム５に接着（接合）せずに上記フィルム５の裏面５ｂ側に位置する上記延長片部１０ａ，１０ａを、上記係合片１０，１０の略全長に亘り形成する。
【００４２】
上記係合片１０，１０及び上記係合突片１１，１１は、細長い略長方形の板状に形成されたものであり、厚さ１ｍｍ程度の厚紙（例えば段ボール紙）或いは合成樹脂板のような薄板状の弾性板により形成されており、上記係合突片１１，１１を含めて一体的に形成されている。
【００４３】
上記係合片１０，１０の上記延長片部１０ａ，１０ａは上述のように、水平部分１４ａ，１４ｃ，１４ｅと台形部分１４ｂ，１４ｄから構成されているが、これら係合片１０，１０の外側端縁には、中央部に斜め対向方向切込１４，１４を入れることで、前後方向の中央の対称位置に、互いに外側方向に突出する所定幅の長方形状の係合突片１１，１１が上記係合片１０，１０と一体に形成されており、上記外側端縁の前後端コーナ部は、トレー３の上記凹部６ａ，６ａの側面６ｃ，６ｃの上向き傾斜のテーパに沿うテーパ状切込１５，１５が各々形成されている。
【００４４】
上記係合突片１１，１１は、その先端部１１ｂが基部１１ａより前後方向に幅広く形成されており、上記フィルム５を上記トレー３の上面開口２ａに張設したとき、上記係合突片１１，１１を互いに対向方向（内側方向）（図５（ｂ）矢印Ｐ２”方向）に折り曲げて、その先端部１１ｂ，１１ｂを上記係合孔８，８内に挿入係合し得るように構成されている。そして、上記先端部１１ｂ，１１ｂの幅は上記係合孔８，８の幅より若干大に形成されているため、上記先端部１１ｂ，１１ｂを上記係合孔８，８内に挿入すると、上記先端部１１ｂ，１１ｂの段部１１ｂ’，１１ｂ’が上記係合孔８，８の縁部に係合して、係合突片１１，１１が上記係合孔８，８から抜け止め状態となるように構成されている（図２、図８（ｂ）参照）。
【００４５】
このように、上記宙吊り用合成樹脂フィルム５の左右の係合片１０，１０の延長片部１０ａ，１０ａの水平部分１４ａ，１４ｃ，１４ｅ及び台形部分１４ｂ，１４ｄの端縁１０ａ’，１０ａ’を、上記トレー３の左右の下向係合溝１３，１３の各水平部分１３ａ，１３ｃ，１３ｅ及び台形部分１３ｂ，１３ｄに係合した状態で、上記左右の係合突片１１，１１を上記トレー３の上記係合孔８，８内に挿入係合することで、図２に示すように、上記トレー３の上面開口２ａに上記宙吊り用合成樹脂フィルム５を係止状態で張設することができる。
【００４６】
本発明は上述のように構成されているため、以下本発明の果実等の物品の宙吊り収納トレーを構成する手順を説明する。
【００４７】
まず、上面開口トレー３の上面開口２ａに宙吊り用合成樹脂フィルム５を宛がう。このとき、図８（ａ）に示すように、上記フィルム５の長辺側の左右の係合片１０，１０を上記上面開口有底トレー３の長辺側の左右の上記下向係合溝１３，１３に対応させた状態で宛がう。
【００４８】
そして、上記合成樹脂フィルム５の両側の上記係合片１０，１０を係合突片１１，１１共々、図４（ａ）、図５（ａ）に示すように、上記内側端縁１０ｂ’を中心に矢印Ｐ１方向に若干回転し、上記延長片部１０ａ，１０ａ及び基部１１ａ，１１ａを上記フィルム５裏面５ｂから離間させ、図４（ｂ）、図５（ｂ）に示すように、上記フィルム５を上記上面開口トレー３の上面開口２ａに被せ、上記フィルム５裏面５ｂを上記トレー３の長手方向の外周縁２，２に接触させた状態で、上記左右端部（対向２辺）のフィルム５を上記係合片１０，１０共々互いに対向する方向（矢印Ｐ２方向）に、トレー３の側面に沿って折り曲げて（回動させて）、上記両係合片１０，１０を各々上記トレー３の左右の側面に沿って配置した状態とする。
【００４９】
そして、かかる状態において、上記係合片１０，１０を上記内側端縁１０ｂ’，１０ｂ’を基端として矢印Ｐ２’方向（図４（ｂ）参照）にさらに回転させ、上記端縁１０ａ’，１０ａ’側を上方、外側縁部１０ｂ，１０ｂ側を下方に向けて、上記係合片１０，１０の上記延長片部１０ａ，１０ａの端縁１０ａ’，１０ａ’を上記下向係合溝１３，１３の底部１３’，１３’に係合させた状態で、上記係合片１０，１０を図４（ｂ）実線に示すように、上記トレー３の左右側面に沿って、略鉛直方向に位置させる。
【００５０】
上記下向係合溝１３，１３と上記係合片１０，１０との係合は、上記トレー３の長手方向の左右に位置する上記下向係合溝１３，１３の全範囲に亘って行われる。よって、上記下向係合溝１３，１３と上記左右の係合片１０，１０の係合状態においては、上記下向係合溝１３，１３の水平部分１３ａ，１３ｃ，１３ｅの各底部１３’に上記係合片１０，１０の水平部分１４ａ，１４ｃ，１４ｅの各端縁１０ａ’が係合し、上記下向係合溝１３，１３の台形部分１３ｂ，１３ｄの各底部１３’に上記係合片１０，１０の台形部分１４ｂ，１４ｄの各端縁１０ａ’が係合する。かかる状態においては、上記係合片１０，１０における係合突片１１，１１も、図５（ｂ）二点鎖線に示すように、上記係合片１０，１０と同様に、上記トレー３の左右側面に沿って略鉛直方向に位置している。
【００５１】
その後、同図に示すように、上記係合突片１１，１１を、上記略鉛直状態から、矢印Ｐ２”方向に，互いに対向方向（内側方向）に回動してその先端部１１ｂ，１１ｂを上記係合孔８，８内にそれらの下側から挿入し、上記先端部１１ｂ，１１ｂの段部１１ｂ’，１１ｂ’が上記係合孔８，８を介して端面６ｂ”，６ｂ”の上面側に臨出するまで上記両先端部１１ｂ，１１ｂを上記係合孔８，８の上側に押し出す（図２、図８（ｂ）参照）。そうすると、上記段部１１ｂ’，１１ｂ’が上記係合孔８，８を介して端面６ｂ”，６ｂ”の上側に臨出するため、係合片１０，１０は上記段部１１ｂ’，１１ｂ’によって上記係合孔８，８に抜け止め状態となる。
【００５２】
上記各工程により、上記宙吊り用合成樹脂フィルム５を上記トレー３の上面に係止状態で装着（張設）することができた（図２、図８（ｂ）参照）。
【００５３】
このとき、上記係合突片１１，１１の上記係合孔８，８への係合挿入は、上記係合片１０，１０を上記下向係合溝１３，１３内に係合して左右の係合片１０，１０を図４（ｂ）のように上記トレー２の左右側面に沿って、略鉛直方向に位置させた状態において、図６に示すように、例えば左側の中指Ｍ１、１本を左側の上記係合突片１１の先端部１１ｂの外側に当て、同時に右手の中指Ｍ２、１本を右側の上記係合突片１１の先端部１１ｂの外側に当て、両方の中指Ｍ１，Ｍ２を同時に対向方向（内側方向）（矢印Ｐ２”方向）に回動して上記係合孔８，８の下側から両係合孔８，８の上側に押し込むことで、上記係合突片１１，１１を、その先端部１１ｂ’，１１ｂ’をワンタッチで上記係合孔８，８内に挿入して、上記係合突片１１，１１を抜け止め状態で上記係合孔８，８に係合することができる。このように、上記係合突片１１，１１の上記係合孔８，８への係合は簡単に行うことができる。
【００５４】
このような上記フィルム５の上記トレー３への張設状態において、上記果実収納用の凹部４，４に桃Ｆを収納すればよい。すると、各桃Ｆの下半部に柔軟な上記凹部４，４のフィルムが密着し（図４（ｂ）参照）、桃Ｆは上記凹部４，４によって上記凹部６ａの底面との間に空間Ｓを保持した状態で、宙吊り支持される（図４（ｂ）参照）。
【００５５】
かかる宙吊り状態においては、上記桃Ｆの荷重がフィルム５に作用して、上記フィルム５の左右の係合片１０，１０に対して矢印Ｔ１方向の戻りテンションが作用する（図４（ｂ）参照）。
【００５６】
しかしながら、上記係合片１０，１０に対して図４（ｂ）の矢印Ｔ１方向の戻りテンションが作用しても、かかる戻りテンションは、係合片１０，１０の延長片部１０ａ，１０ａの端縁１０ａ’，１０ａ’が、上記下向係合溝１３，１３の底部１３’，１３’に当接する方向（上向き方向）に作用するので、上記係合片１０，１０は上記下向係合溝１３，１３との係合状態を維持し、従って、上記上面開口２ａに張設されたフィルム５は弛むことはなく、上記桃Ｆを宙吊り状態で確実に支持することができる。
【００５７】
さらに、上記係合片１０，１０の係合突片１１，１１の先端部１１ｂ，１１ｂは、上記トレー３の係合孔８，８に係合装着され、上記先端部１１ｂ，１１ｂの段部１１ｂ’，１１ｂ’により抜け止め状態となっているので（図５（ｂ）、図２参照）、上記係合突片１１，１１に対して上記桃Ｆの荷重による矢印Ｔ２方向の上記戻りテンション（図５（ｂ）参照）（係合突片１１が上記係合孔８から抜ける方向の力）が作用したとしても、上記係合片１０，１０の先端部１１ｂ，１１ｂが上記係合孔８，８から抜けることはなく、従って上記桃Ｆを安定して宙吊り状態に収納支持することができる。
【００５８】
特に、上記係合突片１１，１１の先端部１１ｂ，１１ｂが上記トレー３の上記係合孔８，８に抜け止め状態で確実に係合しているので、桃Ｆ等の比較的重量の大きい果実その他の物品を上記凹部４に収納したとしても、その荷重による上記戻りテンション（Ｔ１，Ｔ２）によって上記係合片１０，１０が上記下向係合溝１３から外れて、或いは、上記係合突片１１が上記係合孔８から外れて、上記フィルム５が弛むことはなく、重量の大きい果実等の物品の緩衝包装、宙吊り包装を確実に行うことができる。
【００５９】
さらに、本発明によれば、凹部６ａ，６ａの左右位置に切欠部９ａ，９ｂが形成されており、かかる切欠部９ａ，９ｂの上側１２ａ、外側１２ｂにフィルム５が被覆されているので、果実等が振動により左右方向に振動（移動）しても、果実の左右側面がトレー３に直接、接触することはなく、上記上側１２ａ、外側１２ｂに存在するフィルム５により緩衝されるため、果実とトレー左右側面との接触による果実の損傷をも防止することができる。
【００６０】
このように、本発明の果実等の物品の宙吊り収納トレーによれば、宙吊り用合成樹脂フィルム５を上面開口トレー３に簡単に張設し、取り外することができると共に、係合突片１１が上記トレー３の係合孔８に抜止状態で確実に係合しているため、比較的重量の大きい物品であっても安定して宙吊り収納することができる。
【００６１】
また、上記両係合片１０，１０の上記各端縁１０ａ’，１０ａ’を上記トレー３の上記下向係合溝１３に係合し上記トレー３を両手で把持した状態で、例えば両手の各中指Ｍ１，Ｍ２で上記両係合突片１１，１１を上記各係合孔８，８に簡単に挿入係合することができ（図６参照）、上記トレー３への上記宙吊り用合成樹脂フィルム５の張設を極めて簡単に行うことができる。
【００６２】
また、接着剤等を使用しておらず、使用済トレー３からの宙吊り用合成樹脂フィルム５の取り外しが容易であるため、上記トレー３の再利用を簡易かつ確実に行うことができる。
【００６３】
また、係合片１０，１０は例えば段ボール紙により構成することができ、上記係合片１０及び係合突片１１を有する宙吊り用合成樹脂フィルム５を低コストで実現することができる。
【００６４】
本発明は以上のように、上面開口トレー３に対する宙吊り用合成樹脂フィルム５の取り付け取り外しを、接着剤等を使用せずに容易に行うことができるので、例えば使用後にトレー３の再利用を手間を要せずに簡易に行うことができるという効果を奏する。
【００６５】
また、上記トレー３に宙吊り用合成樹脂フィルム５を簡易に着脱できるにも拘わらず、該フィルム５を上記トレー３に確実に係止状態に装着でき、当該フィルム５によって、例えば桃Ｆ等の比較的重量の大きい果実等の物品を安定して宙吊り収納することができるという効果をも奏する。
【００６６】
また、上記両係合片１０，１０の上記各端縁１０ａ’，１０ａ’を上記トレー３の上記下向係合溝１３に係合し上記トレー３を両手で把持した状態で、例えば両手の各中指Ｍ１，Ｍ２で上記両係合突片１１，１１を上記各係合孔８，８に係合することができ（図６参照）、上記トレー３への上記宙吊り用合成樹脂フィルム５の張設を極めて簡単に行うことができるという効果を奏する。
尚、図２のフィルム装着状態において、上記凹部４，４に果実（桃Ｆ等）を収納した場合は、当該トレー１の上部全体に透明の樹脂製蓋を装着することが好ましい。図１中１３”，１３”は、上記トレー３の短辺側の外周縁２（外周縁部２ｂ，２ｃ）の内側（裏面側）に設けられた下向係合溝であり、上記下向係合溝１３，１３と連続して設けられている。
【産業上の利用可能性】
【００６７】
本発明の果実等の物品の宙吊り収納トレーは、桃等の比較的重量の大きい果実の緩衝宙吊り包装に適しているが、果実に限らず野菜等の食品の他、電子部品、電気機器の緩衝宙吊り包装用の収納トレーとしても利用することができるものである。
【符号の説明】
【００６８】
１          果実等の物品の宙吊り収納トレー
２          外周縁
２ａ        上面開口
３          上面開口トレー
４          凹部
５          宙吊り用合成樹脂フィルム
５’        端縁
６ｂ        隔壁
６ｃ        側面
７ａ，７ｂ  位置
８          係合孔
１０        係合片
１０ａ’    端縁
１１        係合突片
１１ｂ      先端部
１３        下向係合溝
【図１】
2012232782.tif 000003
【図２】
2012232782.tif 000004
【図３】
2012232782.tif 000005
【図４】
2012232782.tif 000006
【図５】
2012232782.tif 000007
【図６】
2012232782.tif 000008
【図７】
2012232782.tif 000009
【図８】
2012232782.tif 000010
【図９】
2012232782.tif 000011